(57)【要約】      （修正有）【課題】画像への画素位置にスライド又は固定することができ、簡単に立体画像を見ることができる表示フィルターを提供する。【解決手段】表示部は接着材なし、接着部は接着材ありとし、段差を設けた２層または、段差の無い１層構造とする。接着部は２箇所以上あり、表示部はパターンの入った透明樹脂または、ガラスである。【選択図】図２
0003165989.tif 000002
【実用新案登録請求の範囲】
【請求項１】
表示部は接着材を付けない。
【請求項２】
表示部以外の面には接着剤（貼り、剥がし可能）が付けてある。
【請求項３】
接着材部は２箇所以上とする。
【請求項４】
表示部の厚みは、表示部面を滑るようにする為、接着材面部の厚みより厚くする。
【考案の詳細な説明】
【技術分野】
【０００１】本発明は、画像（ＰＤＰ／液晶／ＥＬ等）へ表示膜（３Ｄ固定パネル等）の位置決めと、装着が簡単に出来るようにする為に考案したものである。
【背景技術】
【０００２】画像（ＰＤＰ／液晶／ＥＬ等）を裸眼で見るために表示膜（３Ｄ固定パネル等）を張り付ける必要がある。既存の方法では画像の画素と、表示膜との位置関係を合わせ、画像（ＰＤＰ／液晶／ＥＬ等）と表示膜を一体にし枠組みで固定、または画像（ＰＤＰ／液晶／ＥＬ等）のパネルに接着材を周囲、またはパネル全面へ塗布して、完全に接着固定させている。
【考案の開示】
【考案が解決しようとする課題】
【０００３】画像（ＰＤＰ・液晶・ＥＬ等）への画素位置に、表示膜（３Ｄ固定パネル等）のパターン位置がスライド出来、画素とパターン位置が決まったところで、表示膜（３Ｄ固定パネル）を粘着材で固定または、取り外しが簡単にできるように考案した。
【課題を解決する為の手段】
【０００４】本考案は、表示膜（３Ｄ固定パネル等）の表示部の厚みが、粘着材の施されている部分より少し厚くして置く。それにより画像パネルと表示膜（３Ｄ固定パネル）とは接触させても接着しない（貼り付かない）。
表示膜（３Ｄ固定パネル）は、画像パネルの上をスライドでき、位置が決まったところで、粘着材の施された表示膜（３Ｄ固定パネル等）の部分を指等で押さえれば表示膜（３Ｄ固定パネル）は、画像（ＰＤＰ・液晶・ＥＬ等）へ粘着材で固定できる。粘着材は表示膜（３Ｄ固定パネル）の表示部以外へ２箇所以上に接着材を施しておく、２点以上での接着を可能にしている為、貼り付けでの傾き補正も可能である。
接着材は、接着・剥離が何度でも可能な接着材を使用することで、画像面への装着が可能になった。
【考案を実施するための形態】
【０００５】図１に示すように、表示膜（３Ｄ固定パネル）には表示膜に粘着材の載った部分と載ってない部分の面を設ける。
粘着材の載った表示膜は樹脂材を使用しているため、柔軟性を持ってている。
【０００６】図２は図１の断面図であり、表示面（３Ｄ固定パネル）は粘着材が載ってていない為、画像（ＰＤＰ／液晶／ＥＬ等）面をスライドさせることが可能である。
画像の画素に表示膜（３Ｄ固定パネル）をスライドさせて位置が決まったところで表示膜（３Ｄ固定パネル）の粘着材が載った部分を、押させ込むことで粘着材は画像面へ接着する。
【０００７】画素の合わせ位置が傾く場合、粘着部分は２点以上の接着が必要なため１点を接着させてから、傾きを修正して２点目の接着部を接着させられる。
【考案の効果】
【０００８】本考案により、３Ｄ用の画像が画面に表示すれば、画像の画素と合う表示膜（３Ｄ固定パネル）を画像に貼り付ければ簡単に立体画像を観ることが出来る。
【図面の簡単な説明】
【０００９】
【図１】本考案に係る表示膜（３Ｄ固定パネル）の粘着部の載ったところと載ってないところを正面から見た図である。
【図２】図１（Ａ−Ａ間）の断面図で粘着材部のある部分の厚みと表示面（３Ｄ固定パネル）の厚みの差を断面で見た図である。
【符号の説明】  １    接着材のある部分
２    表示（３Ｄ固定パネル：樹脂ｏｒガラス）接着材の無い部分
３    表示膜（樹脂シート）
４    表示膜（樹脂シート）厚＋接着材厚
５    表示（３Ｄ固定パネル：樹脂ｏｒガラス）厚
６    接着材
【図１】
0003165989.tif 000003
【図２】
0003165989.tif 000004
【手続補正書】
【提出日】平成22年10月29日(2010.10.29)
【手続補正１】
【補正対象書類名】実用新案登録請求の範囲
【補正対象項目名】全文
【補正方法】変更
【補正の内容】
【実用新案登録請求の範囲】
【請求項１】
表示部は接着材なし、接着部は接着材ありとし、段差を設けた２層または、段差の無い１層構造の表示フィルター。
【請求項２】
接着部は２箇所以上を特徴とする請求項１記載の表示フィルター。
【請求項３】
表示部はパターンの入った透明樹脂または、ガラスを特徴とする請求項１記載の表示フィルター。
【手続補正２】
【補正対象書類名】明細書
【補正対象項目名】全文
【補正方法】変更
【補正の内容】
【考案の詳細な説明】
【技術分野】
【０００１】  本発明は、画像（ＰＤＰ／液晶／ＥＬ等）へ表示フィルターを簡単に位置と、固定が出来るようにする為に考案したものである。
【背景技術】
【０００２】画像（ＰＤＰ／液晶／ＥＬ等）を裸眼で見るために表示フィルターを貼り付ける必要がある。既存の方法では画素と、表示フィルターとの位置関係を合わせ、画像（ＰＤＰ／液晶／ＥＬ等）と表示フィルターを一体にして枠組みで固定。
または、画像（ＰＤＰ／液晶／ＥＬ等）パネルに接着材を周囲に塗布か、パネル全面へ塗布して、完全に接着固定させている。
【考案の開示】
【考案が解決しようとする課題】
【０００３】画像（ＰＤＰ・液晶・ＥＬ等）への画素位置に、表示フィルターを自由にスライド出来、画素と表示フィルター位置が決まったところで固定が出来るように考案した。
【課題を解決する為の手段】
【０００４】本考案は、表示フィルターに段差を設け表示部の厚みが、粘着材の施されている部分より少し厚くして置く。また、段差が無く１層の場合でも表示部には接着材がなく、接着部の接着材はリケイ紙で保護している為、画面パネルへ張付かない。
その為、表示フィルターは、画像パネルの上をスライドでき、位置が決まったところで、粘着材の施された部分は、表示面より薄くしてある為、指等で押さえれば表示フィルターは、画像（ＰＤＰ・液晶・ＥＬ等）へ粘着材で固定できる。または、表示フィルターは一層の場合でも粘着部のリケイ紙を外すことで、固定が可能となる。粘着材は表示フィルターの表示部以外へ２箇所以上に施しておく。これにより２箇所以上の接着部が有る為、貼り付け時の傾き補正が可能である。接着材は、接着・剥離が何度でも可能な接着材を使用することで、画像面への装着が可能。
また、表示フィルターの２層構造の場合、表示部はパターン付きの透明樹脂からガラスへの置き換えも可能である。
【考案を実施するための形態】
【０００５】図１に示すように、表示フィルターには粘着材の載ったエリアと載っていない表示部エリアを設ける。
接着材部は２箇所以上とし、リケイ紙で保護を行う。
【０００６】図２は図１の断面図であり、表示部は粘着材が載っていない為、画像（ＰＤＰ／／液晶／ＥＬ等）面をスライドさせることが可能である。
画像面を表示部がスライドすることで表示フィルターの位置を決める。表示フィルターの粘着材が載った部分を、押さえ込むことで粘着材は画像面へ接着材にて固定する。
または、接着部のリケイ紙を剥離することで固定する。
【０００７】画素に対して表示フィルターの合わせ位置が傾く場合、粘着部分は２点以上の接着エリアを設けてある為、１点を接着させてから、傾き補正をして２点目の接着部を接着で、表示フィルターを固定する。
【考案の効果】
【０００８】本考案により、３Ｄ用画像を見たい場合に、画像に合う画素のパターンを作製し、接着材のついた簡易固定表示フィルターを画像に貼り付ければ簡単に立体画像を観ることが出来る。
【図面の簡単な説明】
【０００９】
【図１】本考案に係る表示フィルターの粘着部が載ったところと載ってないところを正面から見た図である。
【図２】図１（Ａ−Ａ間）の断面図で粘着材部のある部分の厚みと表示フィルター厚の段差を断面で見た図である。
【符号の説明】    １      接着材のある部分
２      表示部（３Ｄ固定パネル：樹脂ｏｒガラス）接着材の無い部分
３      表示膜（樹脂シート）
４      表示膜（樹脂シート）厚＋接着材厚
５      表示（３Ｄ固定パネル：樹脂ｏｒガラス）厚
６      接着材
【手続補正３】
【補正対象書類名】図面
【補正対象項目名】全図
【補正方法】変更
【補正の内容】
【図１】
0003165989.tif 000005
【図２】
0003165989.tif 000006